(57)【特許請求の範囲】
【請求項１】
切削方向に対して左右にそれぞれ振り出した左アサリ歯及び右アサリ歯と、アサリ振り出しを行わない直歯とで各鋸歯を構成した鋸刃であって、
前記直歯と前記直歯よりも歯高を低く設定した前記左アサリ歯及び右アサリ歯を１歯ずつ若しくは２歯ずつ並べた鋸歯列をアサリユニットとし、
鋸歯の配列順序の異なる異種のアサリユニットを２つ以上並べることで１つのパターンを構成し、
前記パターンを繰り返し配列することで鋸歯列を構成して、同一切削機能を有する鋸歯の歯先機能ピッチを不等ピッチにしたことを特徴とする鋸刃。
【請求項２】
請求項１に記載の鋸刃であって、
前記アサリ振り出しを行わない歯高の高い直歯は、歯先から歯先の後方の逃げ面にかけての左右両コーナー部にベベル研磨面が形成され、
前記左アサリ歯の右側と右アサリ歯の左側の歯先から歯先の後方の逃げ面にかけてのコーナー部にベベル研磨面が形成され、
前記左アサリ歯と右アサリ歯の振り出し側の側面が研磨仕上面とされていることを特徴とする鋸刃。
【請求項３】
請求項１に記載の鋸刃であって、
前記各鋸歯の歯先は、研磨仕上げされた超硬チップで構成されていることを特徴とする鋸刃。
【発明の詳細な説明】
【技術分野】
【０００１】
本発明は、例えば、帯鋸刃、丸鋸刃、ハクソーなどの鋸刃に係り、特に、高硬度材（４５ＨＲＣ以上の熱処理が行われた金型材など）の切断に適した鋸刃に関する。
【背景技術】
【０００２】
例えば、金属製の大きなワークピースを切断する切断装置として帯鋸盤が使用されている。帯鋸盤に使用される帯鋸刃では、ビビリ振動や騒音などの対策として、各種アサリの振り出し序列を設定したり、アサリ歯の振り出し量に変化を持たせたり、鋸歯の歯高に高低差を設定したり、鋸歯のピッチを不等ピッチにしたりすることがよく行われている。また、硬質材料の切断に向けて鋸歯の歯先に超硬チップを接合することも行われている。
【０００３】
一般的な帯鋸刃は、帯板状の胴部の幅方向一側に、鋸刃進行（歯先を逃げ面から切り込みの方向に見た）方向に向いて左側にアサリ曲げを行なった左アサリ歯と右側にアサリ曲げを行なった右アサリ歯とアサリ曲げを施さない直歯を一定の規則に従って序列させた構成を備えている。切削にあたって各鋸歯がワークピースに突入する際に、直歯は左右方向（鋸刃の厚み方向）に殆ど振られることは無いが、右アサリ歯は左方向へ、また左アサリ歯は右方向へ大きく振られる。そのため、鋸刃の切れ曲がり対策として、直歯の両コーナーにベベル研磨面を設けて左右両アサリ歯による振れに対して抑制することも広く行われている。
【０００４】
以下に従来の帯鋸刃の例を説明する。
【０００５】
なお、以下においては、説明を簡易にするために必要に応じて、直歯や左右アサリ歯の区別や左右アサリ歯の振り出し量の違い並びに鋸歯の歯高の違いなどを次のように簡略記載する。
【０００６】
・直歯：「Ｓ歯」または「Ｓ」で示す。
【０００７】
・左アサリ歯：「Ｌ歯」または「Ｌ」で示す。
【０００８】
・右アサリ歯：「Ｒ歯」または「Ｒ」で示す。
【０００９】
・振り出し量の大きい左アサリ歯：「ｗＬ歯」または「ｗＬ」で示す。
【００１０】
・振り出し量の小さい左アサリ歯：「ｎＬ歯」または「ｎＬ」で示す。
【００１１】
・振り出し量の大きい右アサリ歯：「ｗＲ歯」または「ｗＲ」で示す。
【００１２】
・振り出し量の小さい右アサリ歯：「ｎＲ歯」または「ｎＲ」で示す。
【００１３】
・歯高の高い鋸歯：各歯の記号に「（Ｈ）」を追加して示す。
【００１４】
・歯高の低い鋸歯：各歯の記号に「（Ｌ）」を追加して示す。
【００１５】
・歯高の中間の鋸歯：各歯の記号に「（Ｍ）」を追加して示す。
【００１６】
また、以下、「アサリ曲げされたアサリ歯」とは、塑性曲げ加工で振り出しが形成されたアサリ歯をいい、「振り出し量」とは、鋸刃胴側面から振り出し歯歯先までの距離をいい、「歯高」とは、ある基準線から歯先までの高さをいい、「アサリユニット」とは、機能歯のすべてが２歯以上含まない構成の鋸歯小集団といい、「パターン」とは、いくつかのアリサユニットから構成された繰り返し配列される単位をいい、「パターン長」とは、パターンに含まれる歯の先頭歯から最後尾の歯までのピッチをいい、「歯先ピッチ」とは、隣接する歯先間の距離をいい、「鋸歯列」とは、鋸歯が並んでいる形をいい、「逆アサリユニット」とは、相対応するＬ歯とＲ歯の序列が入れ替わっているアサリユニットをいい、「不等ピッチ」とは、一定寸法に配列していないピッチをいい、「ウォッシュボード」とは、洗濯板のような模様が規則的に切削面に現れる（凹凸模様や等高線のような輪郭模様が切削面に現れる）ことをいう。
【００１７】
図１１は、歯高の高い直歯Ｓ（Ｈ）と、それより歯高の低い右アサリ歯Ｒ（Ｌ）及び左アサリ歯Ｌ（Ｌ）の３枚の鋸歯１１でアサリユニットＸを形成し、そのアサリユニットＸをパターンとして繰り返し配列した鋸刃の例を示している。図１１（ａ）は鋸歯列の側面図、図１１（ｂ）は鋸歯列を逃げ面側から見た図、図１１（ｃ）は鋸歯列を掬い面側から見た拡大図である。
【００１８】
つまり、この鋸刃では、鋸歯の繰り返し配列パターンは、アサリユニットＸの繰り返し配列で、
Ｘ＝Ｓ（Ｈ）＋Ｒ（Ｌ）＋Ｌ（Ｌ）
であると簡略的に記載することができる。
【００１９】
各鋸歯１１は、帯板状の胴部１０の幅方向一側に配列されており、鋸刃の走行方向を矢印Ａ方向とした場合、歯先１２の前側に掬い面１３、歯先１２の後側に逃げ面１４が設けられている。また、隣接する鋸歯１１の間に凹状のガレット１５が設けられている。また、各歯先１２には、超硬チップが接合されている。また、Ｓ歯の歯先１２から逃げ面１４にかけての左右両コーナー部には、ベベル研磨面（面取り）２０が設けられている。
【００２０】
図１２は、歯高の高い直歯Ｓ（Ｈ）と、歯高の中間の振り出し量（振り出し幅）の小さい右アサリ歯ｎＲ（Ｍ）及び左アサリ歯ｎＬ（Ｍ）と、それより歯高の低い振り出し量（振り出し幅）の大きい右アサリ歯ｗＲ（Ｌ）及び左アサリ歯ｗＬ（Ｌ）の５枚の鋸歯１１でアサリユニットＸを構成し、それをパターン形成し、そのパターンを繰り返し配列した鋸刃の例を示している。図１２（ａ）は鋸歯列の側面図、図１２（ｂ）は鋸歯列を逃げ面側から見た図、図１２（ｃ）は鋸歯列を掬い面側から見た拡大図である。この場合も、Ｓ歯の歯先１２から逃げ面１４にかけての左右両コーナー部には、ベベル研磨面（面取り）２０が設けられている。
【００２１】
つまり、この鋸刃では、鋸歯の繰り返し配列パターンは、アサリユニットＸの繰り返し配列で、
Ｘ＝Ｓ（Ｈ）＋ｎＲ（Ｍ）＋ｎＬ（Ｍ）＋ｗＲ（Ｌ）＋ｗＬ（Ｌ）
であると簡略的に記載することができる。
【００２２】
図１３は、歯高の高い直歯Ｓ（Ｈ）と、それより歯高の低い振り出し量（振り出し幅）の大きい右アサリ歯ｗＲ（Ｌ）及び左アサリ歯ｗＬ（Ｌ）と、歯高の高い直歯Ｓ（Ｈ）と、歯高が低く振り出し量（振り出し幅）の小さい右アサリ歯ｎＲ（Ｌ）及び左アサリ歯ｎＬ（Ｌ）の６枚の鋸歯１１でアサリユニットＸを構成し、それをパターン形成し、そのパターンを繰り返し配列した鋸刃の例を示している。図１３（ａ）は鋸歯列を逃げ面側から見た図、図１３（ｂ）は鋸歯列を掬い面側から見た拡大図である。この場合も、Ｓ歯の歯先１２から逃げ面１４にかけての左右両コーナー部には、ベベル研磨面（面取り）２０が設けられている。
【００２３】
つまり、この鋸刃では、鋸歯の繰り返し配列パターンは、アサリユニットＸの繰り返し配列で、
Ｘ＝Ｓ（Ｈ）＋ｗＲ（Ｌ）＋ｗＬ（Ｌ）＋Ｓ（Ｈ）＋ｎＲ（Ｌ）＋ｎＬ（Ｌ）
であると簡略的に記載することができる。
【００２４】
ところで、Ｓ歯にベベル研磨が施されていない場合、Ｌ歯やＲ歯に振り出し精度の偏り（バランスの崩れ）があると、切れ曲がりが発生しやすい。Ｌ歯やＲ歯を、塑性変形を伴うアサリ加工（曲げ加工）で形成する場合、加工精度を上げるのが難しく、製造時から振り出し精度に偏りが出やすい。振り出し精度に偏りがあると、偏摩耗が起こりやすく、早期に切れ曲がりが発生しやすくなる。特に高硬度材を切断する場合は、鋸刃の摩耗の進行が著しく早いので、Ｌ歯やＲ歯の振り出し量のバランスが崩れやすく、切れ曲がりが発生しやすい。
【００２５】
そこで、特許文献１には、製造時のＬ歯及びＲ歯の偏りによる切れ曲がりを、逆アサリユニットの組み合わせで抑制する鋸刃の例が示されている。
【００２６】
その一般的な例を図１４に示す。図１４（ａ）は鋸歯列の側面図、図１４（ｂ）は鋸歯列を逃げ面側から見た図、図１４（ｃ）は鋸歯列を掬い面側から見た拡大図である。
【００２７】
この図１４に示す鋸刃の鋸歯列は、Ｓ＋Ｌ＋Ｒ＋Ｌ＋Ｒの５枚歯のアサリユニットＸ１と、Ｓ＋Ｒ＋Ｌ＋Ｒ＋Ｌの５枚歯の逆アサリユニット（ＬとＲの順番を逆にしたアサリユニット）Ｘ２とを組み合わせてパターンＸを構成し、このパターンＸを繰り返し配列したものである。
【００２８】
つまり、この鋸刃では、鋸歯の繰り返し配列パターンは、アサリユニットＸ１と逆アサリユニットＸ２を直列にしたパターンの繰り返し配列で、
Ｘ＝（Ｓ＋Ｌ＋Ｒ＋Ｌ＋Ｒ）＋（Ｓ＋Ｒ＋Ｌ＋Ｒ＋Ｌ）
であると簡略的に記載することができる。
【００２９】
このように逆アサリユニットを組み合わせることで、Ｓ歯にベベル研磨面が設けられていない場合であっても、Ｌ歯とＲ歯の振り出し精度の偏りによる切れ曲がりを抑制することができるとされている。
【００３０】
一方、切れ曲がりの問題の他に、帯鋸歯でワークピースを切断する際には、鋸刃にビビリ振動が発生したり、鋸刃による切断面にウォッシュボード（切断面に現れる鋸歯による縞模様の切削痕）が発生したりするという問題もある。
【００３１】
その対策として、特許文献２においては、同一切削機能を有する即ち同一の歯形の鋸歯に着目し、それらの歯先間の距離を歯先機能ピッチ（以下、「歯先機能ピッチ」という）としたときに、その歯先機能ピッチを不等ピッチにした鋸刃の提案がなされている。
【００３２】
まず、図１１の鋸刃の例を用いて、特許文献２で定義されている歯先機能ピッチについて簡単に説明する。
【００３３】
この図１１に示す鋸刃の鋸歯列は、Ｓ、Ｒ、Ｌの３枚の鋸歯によるアサリユニットをパターンとしたパターンＸを繰り返し配列したものである。この鋸歯列において同一切削機能を有する即ち同一の歯形の鋸歯に着目した歯先ピッチ、つまり歯先機能ピッチとは、Ｓ歯については、ＰＳ１、ＰＳ２、ＰＳ３、Ｌ歯については、ＰＬ１、ＰＬ２、ＰＬ３、Ｒ歯については、ＰＲ１、ＰＲ２、ＰＲ３である。
【００３４】
いま、歯先ピッチＰ１〜Ｐ１１は、幾つかの異なった寸法のピッチがランダムに配置されていれば良いとされていて、歯先機能ピッチＰＳ１〜ＰＳ３、ＰＬ１〜ＰＬ３、ＰＲ１〜ＰＲ３は、それぞれ次のようになっている。
【００３５】
・  ＰＬ１（＝Ｐ１＋Ｐ２＋Ｐ３）
≠ＰＬ２（＝Ｐ４＋Ｐ５＋Ｐ６）
≠ＰＬ３（＝Ｐ７＋Ｐ８＋Ｐ９）
・  ＰＳ１（＝Ｐ２＋Ｐ３＋Ｐ４）
≠ＰＳ２（＝Ｐ５＋Ｐ６＋Ｐ７）
≠ＰＳ３（＝Ｐ８＋Ｐ９＋Ｐ１０）
・  ＰＲ１（＝Ｐ３＋Ｐ４＋Ｐ５）
≠ＰＲ２（＝Ｐ６＋Ｐ７＋Ｐ８）
≠ＰＲ３（＝Ｐ９＋Ｐ１０＋Ｐ１１）
つまり、各鋸歯（Ｓ歯、Ｒ歯、Ｌ歯）の歯先機能ピッチＰＳ１〜ＰＳ３、ＰＬ１〜ＰＬ３、ＰＲ１〜ＰＲ３は、それぞれに不等ピッチとなる。
【００３６】
このことは、図１２の例のように、５枚の鋸歯によるアサリユニット（Ｓ、ｎＲ、ｎＬ、ｗＲ、ｗＬ）の繰り返し配列の鋸刃の場合であっても、６枚の鋸歯によるアサリユニット（Ｓ、ｗＲ、ｗＬ、Ｓ、ｎＲ、ｎＬ、）の繰り返し配列の鋸刃の場合であっても、同様に言える。
【００３７】
このように、歯先ピッチＰ１〜Ｐ１１を不等ピッチにすることで、鋸歯Ｓ、Ｌ、Ｒの歯先機能ピッチＰＳ１〜ＰＳ３、ＰＬ１〜ＰＬ３、ＰＲ１〜ＰＲ３を不等ピッチにすることができる。そして、歯先機能ピッチＰＳ１〜ＰＳ３、ＰＬ１〜ＰＬ３、ＰＲ１〜ＰＲ３が不等ピッチとされることで、同じアサリユニット（Ｓ、Ｌ、Ｒ）の繰り返しであっても、ウォッシュボードを抑制できることが確認されている。
【先行技術文献】
【特許文献】
【００３８】
【特許文献１】特開平２−１６０４１３号公報
【特許文献２】特開２００９−２３３７８２号公報
【発明の概要】
【発明が解決しようとする課題】
【００３９】
ところが、実際に各種材料のワークピースの切断に、この種の従来の歯先機能ピッチが不等ピッチ化された鋸刃を使用してみたところ、ビビリ振動やウォッシュボードの発生を抑制できるのは、切断材料の硬さが４５ＨＲＣよりも小さい場合（高硬度材以外の材料を切断した場合）に限られることが分かった。
【００４０】
すなわち、従来のアサリ仕様の鋸刃の場合、歯先機能ピッチを不等ピッチにしても、高硬度材（４５ＨＲＣ以上）を切断した際には、ビビリ振動が発生したり、切断面にウォッシュボードが発生したりする問題が依然として解消されないことが分かった。
【００４１】
その理由について調べてみたところ、従来の鋸刃の場合は、アサリユニットをパターンとして、そのパターンの繰り返し（Ｓ、Ｒ、Ｌ、Ｓ、Ｒ、Ｌ・・・）または（Ｓ、ｎＲ、ｎＬ、ｗＲ、ｗＬ、Ｓ、ｎＲ、ｎＬ、ｗＲ、ｗＬ・・・）になっており、歯先ピッチを不等ピッチにすることで歯先機能ピッチを不等ピッチとした場合であっても、それだけでは不等ピッチの効果が出にくく、結果的に、ウォッシュボード等の発生を有効に抑制できないということが分かった。
【００４２】
本発明は、上記事情を考慮し、高硬度材料を切削する場合にも、切れ曲がりを有効に防止できると共に、ビビリ振動やウォッシュボードの発生を抑制し得る鋸刃を提供することを目的とする。
【課題を解決するための手段】
【００４３】
上記課題を解決するために、請求項１の発明の鋸刃は、切削方向に対して左右にそれぞれ振り出した左アサリ歯及び右アサリ歯と、アサリ振り出しを行わない直歯とで各鋸歯を構成した鋸刃であって、前記直歯と前記直歯よりも歯高を低く設定した前記左アサリ歯及び右アサリ歯を１歯ずつ若しくは２歯ずつ並べた鋸歯列をアサリユニットとし、鋸歯の配列順序の異なる異種のアサリユニットを２つ以上並べることで１つのパターンを構成し、前記パターンを繰り返し配列することで鋸歯列を構成して、同一切削機能を有する鋸歯の歯先機能ピッチを不等ピッチにしたことを特徴とする。
【００４６】
また、請求項２の発明の鋸刃は、請求項１に記載の鋸刃であって、前記アサリ振り出しを行わない歯高の高い直歯は、歯先から歯先の後方の逃げ面にかけての左右両コーナー部にベベル研磨面が形成され、前記左アサリ歯の右側と右アサリ歯の左側の歯先から歯先の後方の逃げ面にかけてのコーナー部にベベル研磨面が形成され、前記左アサリ歯と右アサリ歯の振り出し側の側面が研磨仕上面とされていることを特徴とする。
【００４９】
さらに、請求項３の発明の鋸刃は、請求項１に記載の鋸刃であって、前記各鋸歯の歯先は、研磨仕上げされた超硬チップで構成されていることを特徴とする。
【００５０】
ここで、本発明では、同じ切り溝を切断する歯（即ち同一歯形の歯）は同じ機能を有すので「機能歯」と定義し、同じ「機能歯」間の歯先ピッチを特に「歯先機能ピッチ」と定義し、その歯先機能ピッチ（図１５に示す３枚パターンのＰＬ１〜７，ＰＲ１〜７、図１６に示す５枚パターンのＰｗＬ１〜５，ＰｗＲ１〜５）は、隣接する歯先ピッチ（図１５，図１６に示すＰ１〜Ｐ１０）が不等ピッチであって、その歯先機能ピッチをパターン内で最多２回連鎖できるものとする。
【００５１】
次に、上述の「歯先機能ピッチをパターン内で最多２連鎖できる（同じ機能歯の歯先機能ピッチを３回以上繰り返さない）」ことの根拠について説明する。
【００５２】
つまり、アサリ曲げされたアサリ歯とアサリ曲げしていない直歯で以って構成される帯鋸刃が、材料を切削しているとき、材料の切断最大幅と帯鋸刃の歯先機能ピッチとの関係に起因して、その切断最大幅の中に帯鋸刃の機能歯の同じ歯先機能ピッチが３つ以上一定時間中に存在することが、「ウォッシュボード」を発生させる原因であるため、その帯鋸刃の切削中の各鋸歯について同じ歯先機能ピッチが３つ連なることを避ければ、切断材料幅と機能歯の歯先機能ピッチとの関係を論ずる必要が無くなる。
【００５３】
例えば、切断する材料が丸棒ソリッド材の場合、最大幅となる直径部分を切削中に、その材料中に存在する帯鋸刃の同一の歯先機能ピッチが、２つ存在してもウォッシュボードは発生しないが、同一の歯先機能ピッチパターンが３つ連なると、その歯先機能ピッチはそのパターンの長さ分を鋸刃が切削走行する時間中、３つ存在することになるから、ウォッシュボードを発生させる。
【００５４】
その歯先機能ピッチを３つ以上連続することを必須とする場合は、機能歯のパターンの長さと材料幅との関係を、常に考慮しなければならず、現実的ではない。逆に、その歯先機能ピッチを２つまでにすれば、材料幅を考慮しなくても良くなり、現実味を帯びた、その歯先機能ピッチを有するパターンを自由に設計できることになる。
【００５５】
次に、「ウォッシュボード」が発生する例を、図１５及び図１６を用いて具体的に説明する。この図１５及び図１６は、共にＮＧの例を示す。
【００５６】
３枚歯（ＳＬＲとＳＲＬ）のアサリユニットの例の、図１５の場合、帯鋸刃は（イ）のアサリユニットが４回連続して、次に、（ロ）のアサリユニットを１回配置したパターンで、周期的に連鎖している。したがって、歯先機能ピッチＰＲ１，ＰＲ２，ＰＲ３とＰＬ１，ＰＬ２，ＰＬ３は３回連続している。
【００５７】
５枚歯（ＳｎＲｎＬｗＲｗＬとＳｎＲｎＬｗＬｗＲ、・・・）アサリユニットの例の、図１６の場合、帯鋸刃は（イ）のアサリユニットが４回連続して、次に、（ロ）のアサリユニットを１回配置したパターンで、周期的に連鎖している。したがって、機能ピッチＰｗＲ１，ＰｗＲ２，ＰｗＲ３とＰｗＬ１，ＰｗＬ２，ＰｗＬ３は３回連続している。
【００５８】
すなわち、アサリ曲げされたアサリ歯とアサリ曲げしていない直歯で以って構成される帯鋸刃が、材料を切削しているとき、材料の切断最大幅と帯鋸刃の同一の機能ピッチが３回連鎖するアサリユニットの長さとの関係に起因して、その切断最大幅の中に帯鋸刃の同一の機能ピッチが３つ以上存在することが、「ウォッシュボード」を発生させる原因であるため、その帯鋸刃中の同一の歯先機能ピッチが３つ連なることを避ければ、切断材料幅と同一の機能ピッチが３回連鎖するアサリユニットの長さとの関係を論ずる必要が無くなる。つまり、同じ機能歯の歯先機能ピッチを３回以上繰り返すと、不等ピッチの効果が薄れて、ウォッシュボードが発生するため、これを回避する必要があるからである。
【発明の効果】
【００５９】
請求項１の発明によれば、直歯と切削面を形成する左アサリ歯及び右アサリ歯を１歯ずつ若しくは２歯ずつ並べた鋸歯列をアサリユニットとし、鋸歯の配列順序の異なる異種のアサリユニットを２つ以上並べることで１つのパターンを構成し、パターンを繰り返し配列することで鋸歯列を構成して、同一切削機能を有する鋸歯の歯先機能ピッチ（同一の機能歯間の距離）を不等ピッチにしたことで、高硬度材料を切削する場合にも、切れ曲がりを有効に防止できると共に、ビビリ振動やウォッシュボードの発生を有効に抑制することができる。
【００６０】
請求項２の発明によれば、歯先から歯先の後方の逃げ面にかけてのコーナー部にベベル研磨面を形成して切れ曲がりの抑制、切断面精度の向上を図り、切断面において、左アサリ歯の右側コーナー部と右アサリ歯の左側コーナー部が直歯ベベル面から突出するのを回避することができる。
【００６１】
請求項３の発明によれば、各鋸歯の歯先を研磨仕上げされた超硬チップで構成しているので、請求項１の効果の一層の向上が図れる。
【図面の簡単な説明】
【００６２】
【図１】本発明の第１実施形態の鋸刃の鋸歯列を構成する、直歯と左右のアサリ歯の３枚の鋸歯によるアサリユニットのバリエーション（イ）〜（ヘ）を示す図である。
【図２】図１に示した（イ）と（ロ）のアサリユニットの組み合わせで繰り返しパターンＸを構成した、本発明の第１実施形態における第１例の鋸刃の鋸歯列を示し、（ａ）は鋸歯列の側面図、（ｂ）は鋸歯列を逃げ面側から見た図、（ｃ）は鋸歯列を（イ）のＳ（Ｈ）歯の掬い面側から見た拡大図である。
【図３】図１に示した（イ）と（ハ）のアサリユニットの組み合わせで繰り返しパターンＸを構成した、本発明の第１実施形態における第２例の鋸刃の鋸歯列を示し、（ａ）は鋸歯列の側面図、（ｂ）は鋸歯列を逃げ面側から見た図、（ｃ）は鋸歯列を（イ）のＳ（Ｈ）歯の掬い面側から見た拡大図である。
【図４】本発明の第１実施形態の鋸刃（３枚歯のアサリユニット）の鋸歯列を掬い面側から見た拡大図で、（ａ）はアサリ加工後に研磨仕上げをした場合の例、（ｂ）は超硬チップ（台形状、円柱状）を接合した後に研磨加工で仕上げた場合の例をそれぞれ示す図である。
【図５】本発明の第２実施形態の鋸刃の鋸歯列を構成する、直歯と振り出し幅の大きい左右のアサリ歯と振り出し幅の小さい左右のアサリ歯の５枚の鋸歯によるアサリユニットの一部のバリエーション（イ）〜（チ）を示す図である。
【図６】図５に示した（イ）のアサリユニットを２つ並べたものの繰り返しを比較のために便宜上パターンＸとして配列した、本発明の第２実施形態に対する比較例（本発明の効果を達成しないため本発明に含まれない例）の鋸刃の鋸歯列を示し、（ａ）は鋸歯列の側面図、（ｂ）は鋸歯列を逃げ面側から見た図、（ｃ）は鋸歯列を（イ）のＳ（Ｈ）歯の掬い面側から見た拡大図である。
【図７】図５に示した（イ）と（ロ）のアサリユニットの組み合わせで繰り返しパターンＸを構成した、本発明の第２実施形態における第１例の鋸刃の鋸歯列を示し、（ａ）は鋸歯列の側面図、（ｂ）は鋸歯列を逃げ面側から見た図、（ｃ）は鋸歯列を（イ）のＳ（Ｈ）歯の掬い面側から見た拡大図である。
【図８】図５に示した（イ）と（ハ）のアサリユニットの組み合わせで繰り返しパターンＸを構成した、本発明の第２実施形態における第２例の鋸刃の鋸歯列を示し、（ａ）は鋸歯列の側面図、（ｂ）は鋸歯列を逃げ面側から見た図、（ｃ）は鋸歯列を（イ）のＳ（Ｈ）歯の掬い面側から見た拡大図である。
【図９】図５に示した（イ）と（ト）のアサリユニットの組み合わせで繰り返しパターンＸを構成した、本発明の第２実施形態に対する比較例（本発明の効果を充分に達成しないため本発明に含まれない例）の鋸刃の鋸歯列を示し、（ａ）は鋸歯列の側面図、（ｂ）は鋸歯列を逃げ面側から見た図、（ｃ）は鋸歯列を（イ）のＳ（Ｈ）歯の掬い面側から見た拡大図である。
【図１０】本発明の第２実施形態の鋸刃（５枚歯のアサリユニット）の鋸歯列を掬い面側から見た拡大図で、（ａ）はアサリ加工後に研磨仕上げをした場合の例を示す図、（ｂ）は超硬チップ（台形状、円柱状）を接合した後に研磨加工で片面（振り出し方向の反対側）は胴部側面と面一に仕上げた場合の例を示す図、（ｃ）は超硬チップ（台形状、円柱状）を接合した後に研磨加工でバチ形（鳩尾形状）に仕上げた場合の例を示す図、（ｄ）は（ｂ）に示した超硬チップの形状を説明するために（ｂ）に示した鋸歯のうち振り出し幅の小さい中間歯高の右アサリ歯の形状を代表として示す図、（ｅ）は（ｃ）に示した超硬チップの形状を説明するために（ｃ）に示した鋸歯のうち振り出し幅の小さい中間歯高の右アサリ歯の形状を代表として示す図である。
【図１１】第１の従来例の鋸刃の鋸歯列を示し、（ａ）は鋸歯列の側面図、（ｂ）は鋸歯列を逃げ面側から見た図、（ｃ）は鋸歯列を掬い面側から見た拡大図である。
【図１２】第２の従来例の鋸刃の鋸歯列を示し、（ａ）は鋸歯列の側面図、（ｂ）は鋸歯列を掬い面側から見た拡大図、（ｃ）は鋸歯列を掬い面側から見た拡大図である。
【図１３】第３の従来例の鋸刃の鋸歯列を示し、（ａ）は鋸歯列の側面図、（ｂ）は鋸歯列を逃げ面側から見た図、（ｃ）は鋸歯列を掬い面側から見た拡大図である。
【図１４】第４の従来例の鋸刃の鋸歯列を示し、（ａ）は鋸歯列の側面図、（ｂ）は鋸歯列を逃げ面側から見た図、（ｃ）は鋸歯列を掬い面側から見た拡大図である。
【図１５】３枚歯のアサリユニットの鋸刃の鋸歯列のＮＧの例を示し、（ａ）は鋸歯列の側面図、（ｂ）は鋸歯列を逃げ面側から見た図、（ｃ）は鋸歯列を掬い面側から見た拡大図である。
【図１６】５枚歯のアサリユニットの鋸刃の鋸歯列のＮＧの例を示し、（ａ）は鋸歯列の側面図、（ｂ）は鋸歯列を逃げ面側から見た図、（ｃ）は鋸歯列を掬い面側から見た拡大図である。
【発明を実施するための形態】
【００６３】
以下、本発明の実施形態を図面を参照しながら説明する。
【００６４】
以下の説明において本発明の実施形態として示す鋸刃は、帯鋸盤に使用される帯鋸刃であり、帯板状の胴部の幅方向の一側に複数の鋸歯を一定の規則に従って序列したパターンを周期的に連鎖したものである。各鋸歯の歯先には超硬チップが接合され、必要な研磨仕上げがなされている。また、パターン内の各鋸歯間について歯先ピッチは、不等ピッチになっている。
【００６５】
鋸刃を構成するパターンまたはアサリユニットの例としては、まず、アサリ振り出し加工を行っていない直進性を持った直歯（Ｓ歯）と、左にアサリ振り出し加工をした左アサリ歯（Ｌ歯）と、右にアサリ振り出し加工をした右アサリ歯（Ｒ歯）と、の３枚の鋸歯で構成されたものを一番単純なパターンまたはアサリユニットとして掲げる。
【００６６】
この３枚歯のパターンまたはアサリユニットの次に５枚歯のパターンまたはアサリユニットを掲げる。
【００６７】
５枚歯のパターンまたはアサリユニットは、直歯（Ｓ歯）と、振り出し量（振り出し幅）の大きい左アサリ歯（ｗＬ歯）及び右アサリ歯（ｗＲ歯）と、振り出し量（振り出し幅）の小さい左アサリ歯（ｎＬ歯）及び右アサリ歯（ｎＲ歯）の５枚の鋸歯で構成されたものである。
【００６８】
なお、５枚歯のパターンまたはアサリユニットにおいて、振り出し量の大きいアサリ歯（ｗＬ歯、ｗＲ歯）は、直歯（Ｓ歯）よりも歯高が低く設定されている。また、振り出し量の小さいアサリ歯（ｎＬ歯、ｎＲ歯）は、直歯（Ｓ歯）よりも歯高が低く、且つ、振り出し量の大きいアサリ歯（ｗＬ歯、ｗＲ歯）よりも歯高が高く設定されている。つまり、振り出し量の小さいアサリ歯（ｎＬ歯、ｎＲ歯）は、直歯（Ｓ歯）と、振り出し量の大きいアサリ歯（ｗＬ歯、ｗＲ歯）との中間の歯高に設定されている。
【００６９】
以下の実施形態では、３枚の鋸歯をアサリユニットとしてそれを組み合わせたものをパターンとしたものと、振り出し量の違う左右アサリ歯を更に加えた５枚の鋸歯をアサリユニットとしてそれを組み合わせたものをパターンとしたものについて述べる。
【００７０】
説明を簡易にするために、各鋸歯を以下のように簡略記載する点は前記と同様である。
【００７１】
・直歯：「Ｓ歯」または「Ｓ」で示す。
【００７２】
・左アサリ歯：「Ｌ歯」または「Ｌ」で示す。
【００７３】
・右アサリ歯：「Ｒ歯」または「Ｒ」で示す。
【００７４】
・振り出し量の大きい左アサリ歯：「ｗＬ歯」または「ｗＬ」で示す。
【００７５】
・振り出し量の小さい左アサリ歯：「ｎＬ歯」または「ｎＬ」で示す。
【００７６】
・振り出し量の大きい右アサリ歯：「ｗＲ歯」または「ｗＲ」で示す。
【００７７】
・振り出し量の小さい右アサリ歯：「ｎＲ歯」または「ｎＲ」で示す。
【００７８】
・歯高の高い鋸歯：各歯の記号に「（Ｈ）」を追加して示す。
【００７９】
・歯高の低い鋸歯：各歯の記号に「（Ｌ）」を追加して示す。
【００８０】
・歯高の中間の鋸歯：各歯の記号に「（Ｍ）」を追加して示す。
【００８１】
鋸刃は、ワークピースに形成される切削溝の全幅を複数の分割幅毎に分担して切削する複数の鋸歯（直歯及び左右アサリ歯）を備えており、直歯（Ｓ歯）は切削溝の幅方向中央部分の切削を分担し、左アサリ歯（Ｌ歯）は切削溝の左側部分の切削を分担し、右アサリ歯（Ｒ歯）は切削溝の右側部分の切削を分担する。
【００８２】
また、実施形態の鋸刃では、切れ曲がり対策として、Ｓ歯にベベル研磨面が設けられている。すなわち、Ｓ歯の歯先から歯先の後方の逃げ面にかけての左右両コーナー部に、４５°の面取りがベベル研磨面として設けられている。また、Ｌ歯とＲ歯の振り出し側（Ｌ歯の場合は左側、Ｒ歯の場合は右側）の側面が研磨仕上面とされている。また、Ｌ歯やＲ歯の加工精度が、超硬チップを使用して研磨仕上げすることによって高められている。
＜第１実施形態＞
図１は、本発明の第１実施形態の鋸刃の鋸歯列を構成する、直歯と左右のアサリ歯の３枚の鋸歯によるアサリユニットのバリエーション（イ）〜（ヘ）を示す図である。
【００８３】
直歯（Ｓ歯）と左アサリ歯（Ｌ歯）と右アサリ歯（Ｒ歯）の３枚の鋸歯によるアサリユニットは、図１に示すように（イ）〜（ヘ）の６種類あり、簡略的に記載すると次のようになる。
【００８４】
（イ）＝Ｓ（Ｈ）＋Ｒ（Ｌ）＋Ｌ（Ｌ）
（ロ）＝Ｓ（Ｈ）＋Ｌ（Ｌ）＋Ｒ（Ｌ）
（ハ）＝Ｒ（Ｌ）＋Ｓ（Ｈ）＋Ｌ（Ｌ）
（ニ）＝Ｌ（Ｌ）＋Ｓ（Ｈ）＋Ｒ（Ｌ）
（ホ）＝Ｒ（Ｌ）＋Ｌ（Ｌ）＋Ｓ（Ｈ）
（ヘ）＝Ｌ（Ｌ）＋Ｒ（Ｌ）＋Ｓ（Ｈ）
本実施形態の鋸刃は、直歯Ｓ（Ｈ）と左アサリ歯Ｌ（Ｌ）と右アサリ歯Ｒ（Ｌ）の序列の異なる異種のアサリユニットを２つ以上並べることでパターンＸを構成し、そのパターンＸを連鎖することで鋸歯列を構成したものである。こうすることにより、左アサリ歯Ｌ（Ｌ）または右アサリ歯Ｒ（Ｌ）の少なくとも一方の歯先機能ピッチ（同一切削機能を有する即ち同一歯形の鋸歯に着目した歯先ピッチ）ＰＬ、ＰＲを、大きなピッチ間距離の差を以って不等ピッチとしている。
【００８５】
２つのアサリユニットの組み合わせ例としては、例えば、（イ）と（ロ）、（ハ）と（ニ）、（ホ）と（ヘ）の各組み合わせがある。これらは、Ｓを基準にＬ、Ｒの位置が入れ替わっているアサリユニットの組み合わせである。
【００８６】
また、２つの異なるアサリユニットを組み合わせた際に、同じ序列となる場合もある。例えば、（イ）と（ロ）の組み合わせと、（ホ）と（ヘ）の組み合わせは同じ序列になる。
【００８７】
なお、３つの異なるアサリユニットを組み合わせた場合は、同じ序列になる組み合わせ確率はほとんどなくなるので、なお良いと言える。ここでは、２つの異なるアサリユニットを組み合わせた場合の例について説明する。
【００８８】
図２は、図１に示した（イ）と（ロ）のアサリユニットの組み合わせでパターンＸを構成した、第１実施形態における第１例の鋸刃の鋸歯列を示している。図２の（ａ）は鋸歯列の側面図、図２（ｂ）は鋸歯列を逃げ面側から見た図、図２（ｃ）は鋸歯列を掬い面側から見た拡大図である。
【００８９】
図２（ａ）〜（ｃ）に示すように、各鋸歯１１は、帯板状の胴部１０の幅方向一側に配列されており、鋸刃の走行方向を矢印Ａ方向とした場合、歯先１２の前側に掬い面１３、歯先１２の後側に逃げ面１４が設けられている。また、隣接する鋸歯１１の間に凹状のガレット１５が設けられている。また、各歯先１２には、超硬チップが接合されている。また、Ｓ歯の歯先１２から逃げ面１４にかけての左右両コーナー部には、ベベル研磨面（面取り）２０が設けられている。歯高については先に述べた通りである。
【００９０】
図２（ａ）、（ｂ）に示すように、（イ）と（ロ）のアサリユニットを組み合わせた場合、鋸歯１１のパターンＸは、
Ｘ＝Ｓ（Ｈ）＋Ｒ（Ｌ）＋Ｌ（Ｌ）＋Ｓ（Ｈ）＋Ｌ（Ｌ）＋Ｒ（Ｌ）
となる。
【００９１】
従って、この鋸歯列において、歯先機能ピッチ（同一切削機能を有する即ち同一歯形の鋸歯に着目した歯先ピッチ）は、Ｓ歯については、ＰＳ１、ＰＳ２、Ｌ歯については、ＰＬ１、ＰＬ２、Ｒ歯については、ＰＲ１、ＰＲ２、である。Ｌ歯とＲ歯の配列の異なるアサリユニット（イ）、（ロ）の組み合わせであるから、Ｌ歯についても、Ｒ歯についても、ＰＬ１≠ＰＬ２、ＰＲ１≠ＰＲ２、すなわち、歯先機能ピッチが不等ピッチになる。
【００９２】
この不等ピッチの差（ＰＬ１とＰＬ２の差、ＰＲ１とＰＲ２の差）は、従来の不等ピッチＰ１〜Ｐ６による歯先機能ピッチの差よりも、本実施形態のように、異なるアサリユニットの組み合わせによる歯先機能ピッチの差の方が大きくなる。つまり、切断面の精度に影響のあるＬ歯またはＲ歯の歯先機能ピッチが、大きなピッチの差を以つて不等ピッチとして設定されているのである。
【００９３】
次に、図３は、図１に示した（イ）と（ハ）のアサリユニットの組み合わせでパターンＸを構成した、第１実施形態における第２例の鋸刃の鋸歯列を示している。図３（ａ）は鋸歯列の側面図、図３（ｂ）は鋸歯列を逃げ面側から見た図、図３（ｃ）は鋸歯列を掬い面側から見た拡大図である。
【００９４】
図３（ａ）、（ｂ）に示すように、（イ）と（ハ）のアサリユニットを組み合わせた場合、鋸歯１１のパターンＸは、
Ｘ＝Ｓ（Ｈ）＋Ｒ（Ｌ）＋Ｌ（Ｌ）＋Ｒ（Ｌ）＋Ｓ（Ｈ）＋Ｌ（Ｌ）
となる。
【００９５】
従って、この鋸歯列においても、ＰＳ１≠ＰＳ２、ＰＲ１≠ＰＲ２、すなわち、Ｓ歯とＲ歯の歯先機能ピッチが不等ピッチとなり、Ｌ歯は不等ピッチとならないが、本発明は、Ｌ歯およびＲ歯の少なくともどちらかでよい。
【００９６】
以上のように、直歯Ｓ（Ｈ）と左アサリ歯Ｌ（Ｌ）と右アサリ歯Ｒ（Ｌ）の配列順序の異なる異種のアサリユニットを、図１の（イ）〜（ヘ）から適当に選んで２つ以上並べることにより、左アサリ歯Ｌ（Ｌ）または右アサリ歯Ｒ（Ｌ）の歯先機能ピッチＰＬ１、ＰＬ２またはＰＲ１、ＰＲ２を、大きなピッチの差を以って不等ピッチにすることができる。
【００９７】
図４は、第１実施形態の鋸刃（３枚歯のアサリユニット）の鋸歯列を掬い面側から見た拡大図で、図４（ａ）はアサリ加工後に研磨仕上げをした場合の例、図４（ｂ）は超硬チップを接合した後に台形状に研磨加工で仕上げた場合の例をそれぞれ示す図である。
【００９８】
図４（ａ）の例において、左アサリ歯Ｌ（Ｌ）及び右アサリ歯Ｒ（Ｌ）は、アサリ加工（振り出しのための曲げ加工）後に研磨仕上げされている。
【００９９】
また、図４（ｂ）の例において、超硬チップ１８を接合した後に、左アサリ歯Ｌ（Ｌ）及び右アサリ歯Ｒ（Ｌ）は、研磨加工により左右両側が胴部１０の左右両側面から張り出した台形状に成形され、次に、ベベル研磨面２１が形成されている。すなわち、左アサリ歯Ｌ（Ｌ）の右側と右アサリ歯Ｒ（Ｌ）の左側の歯先から歯先の後方の逃げ面にかけてのコーナー部に、掬い面側から見た状態で、直歯Ｓ（Ｈ）のベベル研磨面２０よりも露出しないようにベベル研磨面２１が形成されている。
【０１００】
以上のように、本実施形態の鋸刃の鋸歯の加工は、図４（ａ）、（ｂ）に示すどちらの方法で行ってもよい。
＜３枚歯パターンの実施例＞
次に、実際に切断を行った場合のサンプル品の評価について説明する。
【０１０１】
切断材料としては、冷間金型材（２００Ｗ×１５０Ｈ）の硬さ５０ＨＲＣに熱処理した材料で、高硬度材の中でも比較的切断しやすいものを使用した。切断条件は、鋸速７５ｍ／ｍｉｎ、切削率２０ｃｍ2／ｍｉｎ、送り速度１０ｍｍ／ｍｉｎであった。使用した鋸刃は、５４ｗ×１．６ｔ×１．８／２Ｐであった。
【０１０２】
サンプルとして使用した鋸刃のパターンは、次の（１）〜（３）の３種類である。
【０１０３】
（１）図１１のＳ、Ｒ、Ｌ、Ｓ、Ｒ、Ｌ、Ｓ、Ｒ、Ｌ・・・配列のもの（従来例）。
【０１０４】
（２）図１の（イ）と（ロ）を交互に並べたＳ、Ｒ、Ｌ、Ｓ、Ｌ、Ｒ、Ｓ、Ｒ、Ｌ・・・配列のもの（図２に示した第１実施形態の第１例のもの）。
【０１０５】
（３）図１の（イ）と（ハ）を交互に並べたＳ、Ｒ、Ｌ、Ｒ、Ｓ、Ｌ・・・配列のもの（図３に示した第１実施形態の第２例のもの）。
【０１０６】
その結果は次の通りであった。
【０１０７】
（１）の鋸刃では、ウォッシュボードが発生した。
【０１０８】
（２）の鋸刃では、ウォッシュボ−ドの発生がなかった。
【０１０９】
（３）の鋸刃では、ウォッシュボ−ドの発生がなかった。
【０１１０】
以上の結果を考察すると、Ｌ歯とＲ歯の少なくとも一方の歯先機能ピッチが不等ピッチになっている場合（ここでは、鋸歯の配列の違いの組み合わせにより歯先機能ピッチが不等ピッチになっている場合を指す）は、ウォッシュボ−ドの発生を抑制できると言える。
【０１１１】
以上の説明のように、第１実施形態として示した鋸刃は、直歯にベベル研磨面を設けると共に、左右アサリ歯の配列順序の異なるアサリユニットを２つ以上並べることでパターンを構成し、それにより、左アサリ歯または右アサリ歯の少なくとも一方の歯先機能ピッチを不等ピッチにすることで、高硬度材料を切削する場合にも、切れ曲がりを有効に防止できると共に、ビビリ振動やウォッシュボードの発生を有効に抑制することができる。
＜第２実施形態＞
次に、５枚歯のアサリユニットの実施形態について説明する。
【０１１２】
図５は、本発明の第２実施形態の鋸刃の鋸歯列を構成する、５枚の鋸歯によるアサリユニットのバリエーションの一部（イ）〜（チ）を示す図である。
【０１１３】
直歯（Ｓ歯）と、振り出し幅の大きい左アサリ歯（ｗＬ歯）及び右アサリ歯（ｗＲ歯）と、振り出し幅の小さい左アサリ歯（ｎＬ歯）及び右アサリ歯（ｎＲ歯）と、の５枚の鋸歯の序列を異ならせたアサリユニットは全部で１２０通りあり、図５は例として説明する上で一部を示している。（イ）〜（チ）のアサリユニットを簡易記載すると次のようになる。なお、各歯の歯高については前述した通りであり、それも合わせて記載する。
【０１１４】
（イ）＝  Ｓ（Ｈ）＋ｎＲ（Ｍ）＋ｎＬ（Ｍ）＋ｗＲ（Ｌ）＋ｗＬ（Ｌ）
（ロ）＝  Ｓ（Ｈ）＋ｎＲ（Ｍ）＋ｎＬ（Ｍ）＋ｗＬ（Ｌ）＋ｗＲ（Ｌ）
（ハ）＝  Ｓ（Ｈ）＋ｗＲ（Ｌ）＋ｗＬ（Ｌ）＋ｎＲ（Ｍ）＋ｎＬ（Ｍ）
（ニ）＝  Ｓ（Ｈ）＋ｗＬ（Ｌ）＋ｗＲ（Ｌ）＋ｎＬ（Ｍ）＋ｎＲ（Ｍ）
（ホ）＝  ｗＲ（Ｌ）＋ｗＬ（Ｌ）＋  Ｓ（Ｈ）＋ｎＲ（Ｍ）＋ｎＬ（Ｍ）
（ヘ）＝  Ｓ（Ｈ）＋ｎＬ（Ｍ）＋ｗＲ（Ｌ）＋ｗＬ（Ｌ）＋ｎＲ（Ｍ）
（ト）＝  ｎＲ（Ｍ）＋ｎＬ（Ｍ）＋  Ｓ（Ｈ）＋ｗＲ（Ｌ）＋ｗＬ（Ｌ）
（チ）＝  ｎＲ（Ｍ）＋ｎＬ（Ｍ）＋ｗＲ（Ｌ）＋ｗＬ（Ｌ）＋Ｓ（Ｈ）
本実施形態の鋸刃は、直歯（Ｓ歯）と、振り出し幅の大きい左アサリ歯（ｗＬ歯）及び右アサリ歯（ｗＲ歯）と、振り出し幅の小さい左アサリ歯（ｎＬ歯）及び右アサリ歯（ｎＲ歯）と、の５枚の鋸歯を１枚ずつ並べた鋸歯列を、上記（イ）〜（チ）の例のようにアサリユニットとし、少なくとも振り出し幅の大きい左アサリ歯（ｗＬ歯）及び右アサリ歯（ｗＲ歯）の序列の異なる異種のアサリユニットを２つ以上並べることでパターンＸを構成し、そのパターンＸを繰り返し配列することで鋸歯列を構成したものである。
【０１１５】
こうすることにより、切断面を形成する振り出し幅の大きい左アサリ歯（ｗＬ歯）または右アサリ歯（ｗＲ歯）の少なくとも一方の歯先機能ピッチ（同一切削機能を有する即ち同一歯形の鋸歯に着目した歯先ピッチ）を、大きなピッチの差を以って不等ピッチとしている。
【０１１６】
ただし、組み合わせるアサリユニット同士の間で、ｗＬ（Ｌ）またはｗＲ（Ｌ）が同じ位置に配置されたアサリユニット同士の組み合わせの場合は、ｗＬ（Ｌ）またはｗＲ（Ｌ）の歯先機能ピッチが不等ピッチにならないので、そのような組み合わせは除外する。
【０１１７】
２つのアサリユニットの組み合わせ例としては、例えば、（イ）と（ロ）、（イ）と（ハ）、（イ）と（ホ）のような各組み合わせが採用可能である。
【０１１８】
これらは、ｗＬ（Ｌ）とｗＲ（Ｌ）の位置が入れ替わっているアサリユニットの組み合わせであるか、あるいは、ｗＬ（Ｌ）とｗＲ（Ｌ）の序列の位置が異なっているアサリユニットの組み合わせである。３つ以上の異なるアサリユニットを組み合わせてもよいが、ここでは２つの異なるアサリユニットを組み合わせた場合を例に説明する。以下、簡略化のために必要に応じて、歯高の表示を省略して各鋸歯を示す。
【０１１９】
例えば、振り出し幅の大きいｗＬ、ｗＲの配置について、アサリユニットの組み合わせによってはアサリユニット間でその歯の配置が入れ替わっている場合がある。その場合は、ウォッシュボ−ドを抑制できる。すなわち、一方のアサリユニットではｗＬ、ｗＲの配列であるが、他方のアサリユニットではｗＲ、ｗＬの配列になっている場合である。
【０１２０】
まず、除外例を先に掲げる。図６は、図５に示した（イ）のアサリユニットを２つ並べたものをパターンＸとして配置した、第２実施形態に対する比較例の鋸刃の鋸歯列を示す図である。
【０１２１】
この鋸歯列は、（イ）と（イ）の組み合わせであるから、
（Ｓ＋ｎＲ＋ｎＬ＋ｗＲ＋ｗＬ）＋（Ｓ＋ｎＲ＋ｎＬ＋ｗＲ＋ｗＬ）
となる。この場合は、〔ｗＲ＋ｗＬ〕の配列及び位置が変化していないから、ｗＲ、ｗＬの歯先機能ピッチは不等ピッチにならず、従って、不合格（ＮＧ）である。
【０１２２】
図７は、図５に示した（イ）と（ロ）のアサリユニットの組み合わせでパターンＸを構成した、第２実施形態における第１例の鋸刃の鋸歯列を示す図である。
【０１２３】
この鋸歯列は、（イ）と（ロ）の組み合わせであるから、
（Ｓ＋ｎＲ＋ｎＬ＋ｗＲ＋ｗＬ）＋（Ｓ＋ｎＲ＋ｎＬ＋ｗＬ＋ｗＲ）
となる。この場合は、ｗＬとｗＲの配列が、図７中のＢ１とＢ２で入れ替わっているので、合格（ＯＫ）である。
【０１２４】
また、（ハ）と（ニ）の組み合わせも、
（Ｓ＋ｗＲ＋ｗＬ＋ｎＲ＋ｎＬ）＋（Ｓ＋ｗＬ＋ｗＲ＋ｎＬ＋ｎＲ）
となるので、同様の理由で、合格（ＯＫ）である。
【０１２５】
また、（イ）と（ハ）のように、Ｌ歯とＲ歯の並びは変らずに、中間歯（Ｍ）と低歯（Ｌ）の並びが変っている場合も、ｗＬ（Ｌ）、ｗＲ（Ｌ）の歯先機能ピッチが不等ピッチになる。
【０１２６】
図８は、図５に示した（イ）と（ハ）のアサリユニットの組み合わせでパターンＸを構成した、第２実施形態における第２例の鋸刃の鋸歯列を示す図である。
【０１２７】
この鋸歯列は、（イ）と（ハ）の組み合わせであるから、
（Ｓ＋ｎＲ＋ｎＬ＋ｗＲ＋ｗＬ）＋（Ｓ＋ｗＲ＋ｗＬ＋ｎＲ＋ｎＬ）
となる。この場合は、図８に示すように、Ｂ１（ｗＲ＋ｗＬ）とＢ２（ｎＲ＋ｎＬ）の位置が入れ替わっているので、ｗＬ、ｗＲの歯先機能ピッチが不等ピッチになり、従って、合格（ＯＫ）である。
【０１２８】
一方、（イ）と（ト）の組み合わせは不合格である。
【０１２９】
図９は、図５に示した（イ）と（ト）のアサリユニットの組み合わせでパターンＸを構成した、第２実施形態に対する比較例の鋸刃の鋸歯列を示す図である。
【０１３０】
この鋸歯列は、（イ）と（ト）の組み合わせであるから、
（Ｓ＋ｎＲ＋ｎＬ＋ｗＲ＋ｗＬ）＋（ｎＲ＋ｎＬ＋Ｓ＋ｗＲ＋ｗＬ）
となる。この組み合わせでは、図９に示すように、Ｂ１（Ｓ）とＢ２（ｎＲ＋ｎＬ）の位置は入れ替わっているが、Ｂ３（ｗＲ＋ｗＬ）の位置は変化がないので、ｗＬ、ｗＲの歯先機能ピッチが不等ピッチにならず、従って、不合格（ＮＧ）である。
【０１３１】
また、（ヘ）と（チ）の組み合わせも、
（Ｓ＋ｎＬ＋ｗＲ＋ｗＬ＋ｎＲ）＋（ｎＲ＋ｎＬ＋ｗＲ＋ｗＬ＋Ｓ）
となるので、同様の理由で不合格（ＮＧ）である。
【０１３２】
以上は２つのアサリユニットを組み合わせる場合の例であったが、３つ以上のアサリユニットを組み合わせる場合においても、上記と同じように、ｗＬ（Ｌ）、ｗＲ（Ｌ）の序列が同じユニットだけで構成されていなければよい。すなわち、３つのうち２つがＷＬ、ｗＲの並びが同じであっても、残りの１つでｗＬ、ｗＲの並びが違えばよい。
【０１３３】
また、２つのアサリユニットの組み合わせでは不合格であった上記（イ）と（ト）の組み合わせや、（ヘ）と（チ）の組み合わせが構成の中に入っていても、（イ）と（ト）と（ヘ）の組み合わせにすることで、ウォッシュボードを抑制できる。しかし、（ｎＬ、ｎＲ、Ｓ、ｗＲ、ｗＬ）と（ｎＬ、Ｓ、ｎＲ、ｗＲ、ｗＬ、）の組み合わせのように、組み合わせたアサリユニット同士の間でｗＬとｗＲの配置が（イ）と（ト）と同じものの組み合わせでは、ウォッシュボードは発生してしまい、（ヘ）と（チ）の場合も同じである。
【０１３４】
ところで、Ｌ歯（ｗＬ、ｎＬ）及びＲ歯（ｗＲ、ｎＲ）とＳ歯（Ｓ）の歯高に高低差（Ｈ、Ｍ、Ｌ）がある場合、歯高が高いために先行して切断するＳ歯は摩耗の進行が早い（特に高硬度材の切断時）。Ｓ歯の摩耗が進行すると、Ｓ歯のベベル研磨面２０から、Ｌ歯とＲ歯の振り出し側の反対側の歯先部分が材料に接触しやすくなり、その部分が摩耗し始める。そこで、振り出し側の反対側の逃げ面に沿ったコーナー部にベベル研磨面を形成して、その部分の摩耗を抑制するようにしている。
【０１３５】
図１０は、第２実施形態の鋸刃（５枚歯のアサリユニット）の鋸歯列を掬い面側から見た拡大図で、図１０（ａ）はアサリ加工後に研磨仕上げをした場合の例を示す図、図１０（ｂ）は超硬チップを接合した後に研磨加工で片面だけ胴部側面と面一の台形状に仕上げた場合の例を示す図、図１０（ｃ）は超硬チップを接合した後に研磨加工でバチ形（鳩尾形状）の台形状に仕上げた場合の例を示す図である。
【０１３６】
図１０（ａ）の例において、振り出し量の大きい左アサリ歯ｗＬ（Ｌ）及び右アサリ歯ｗＲ（Ｌ）と振り出し量の小さい左アサリ歯ｎＬ（Ｍ）及び右アサリ歯ｎＲ（Ｍ）は、アサリ加工（振り出しのための曲げ加工）後に研磨仕上げされている。
【０１３７】
また、図１０（ｂ）の例においては、超硬チップ１８ｗＬ、１８ｗＲ、１８ｎＬ、１８ｎＲを接合した後に、研磨加工により、片面だけ胴部１０の側面と面一に研磨され、振り出し量の大小区別がなされた台形状の各アサリ歯ｗＬ、ｗＲ、ｎＬ、ｎＲの振り出し側と反対側のコーナー部にベベル研磨面２１が形成されている。
【０１３８】
しかし、片面だけ胴部１０の側面と面一に初期カットされ、振り出し量の大小区別がなされた台形状の超硬チップ１８ｗＬ、１８ｗＲ、１８ｎＬ、１８ｎＲを接合した後に、研磨加工により、各アサリ歯ｗＬ、ｗＲ、ｎＬ、ｎＲの振り出し側と反対側のコーナー部にベベル研磨面２１を形成してもよい。
【０１３９】
なお、図１０（ｄ）は、図１０（ｂ）に示した超硬チップ１８ｗＬ、１８ｗＲ、１８ｎＬ、１８ｎＲの形状を説明するために、図１０（ｂ）に示した鋸歯のうち、振り出し幅の小さい中間歯高の右アサリ歯ｎＲ（Ｍ）の形状を代表として示している。
【０１４０】
また、図１０（ｃ）の例において、振り出し量の大きい左右アサリ歯ｗＬ、ｗＲは、超硬チップ１８Ｓを接合した後に、研磨加工で左右両側が胴部１０の左右両側面から大きく張り出した同一台形状にされた後、ベベル研磨面２１を形成することにより構成されている。また、振り出し量の小さい左右アサリ歯ｎＬ、ｎＲは、超硬チップ１８Ｓを接合した後に、研磨加工で左右両側が胴部１０の左右両側面から小さく張り出した同一台形状にされた後、ベベル研磨面２１を形成することにより構成されている。
【０１４１】
しかし、振り出し量の大きい左右アサリ歯ｗＬ、ｗＲは、左右両側が胴部１０の左右両側面から大きく張り出した同一台形状の超硬チップ１８Ｓを接合した後に、研磨加工でベベル研磨面２１を形成する。また、振り出し量の小さい左右アサリ歯ｎＬ、ｎＲは、左右両側が胴部１０の左右両側面から小さく張り出した同一台形状の超硬チップ１８Ｓを接合した後に、研磨加工でベベル研磨面２１を形成することにより構成されてもよい。
【０１４２】
なお、図１０（ｅ）は、図１０（ｃ）に示した超硬チップ１８ｗ、１８Ｓの形状を説明するために、図１０（ｃ）に示した鋸歯のうち、振り出し幅の小さい中間歯高の右アサリ歯ｎＲ（Ｍ）の形状を代表として示す図である。
【０１４３】
以上のように、本実施形態の鋸刃の鋸歯の加工は、図１０（ａ）、（ｂ）、（ｃ）に示すどの方法で行ってもよい。また、仕上げ形状に近い超硬チップを接合して研磨仕上げする方が研磨工程が容易である。
【０１４４】
上述した実施形態では、本発明を帯鋸刃に適用した場合を説明したが、それ以外の鋸歯にも本発明は適用可能である。
【符号の説明】
【０１４５】
１１  鋸歯
１２  歯先
１３  掬い面
１４  逃げ面
２０  ベベル研磨面
２１  ベベル研磨面
Ａ  切削方向
Ｓ，Ｓ（Ｈ）  直歯
Ｌ，Ｌ（Ｌ）  左アサリ歯
Ｒ，Ｒ（Ｌ）  左アサリ歯
ｗＬ，ｗＬ（Ｌ）  振り出し量の大きい左アサリ歯
ｗＲ，ｗＲ（Ｌ）  振り出し量の大きい右アサリ歯
ｎＬ，ｎＬ（Ｍ）  振り出し量の小さい左アサリ歯
ｎＲ，ｎＲ（Ｍ）  振り出し量の小さい右アサリ歯
ＰＬ１，ＰＬ２  左アサリ歯の歯先機能ピッチ
ＰＲ１，ＰＲ２  右アサリ歯の歯先機能ピッチ
Ｘ  パターン（繰り返しパターン）
【図１】
0006674188.tif 000002
【図２】
0006674188.tif 000003
【図３】
0006674188.tif 000004
【図４】
0006674188.tif 000005
【図５】
0006674188.tif 000006
【図６】
0006674188.tif 000007
【図７】
0006674188.tif 000008
【図８】
0006674188.tif 000009
【図９】
0006674188.tif 000010
【図１０】
0006674188.tif 000011
【図１１】
0006674188.tif 000012
【図１２】
0006674188.tif 000013
【図１３】
0006674188.tif 000014
【図１４】
0006674188.tif 000015
【図１５】
0006674188.tif 000016
【図１６】
0006674188.tif 000017